(57)【要約】【課題】  アパートやマンションなどの窓面緑化並びに目隠し、遮光、電飾、室内の間仕切り等に用いられ、軽量かつ廉価であって、着脱が自在であるネット状パネル装置の提供を図る。【解決手段】  屋内外で緑化並びに目隠し、遮光、電飾、間仕切り等に用いられるネット状パネル装置１０であって、垂直に立設する一対のアジャストポール１１と、該アジャストポール１１間に張られるネット状物１２と、から構成され、アジャストポール１１は、その上端部または下端部あるいは中間所定位置のうち少なくとも一箇所において長さ調整機構が設けられており、アジャストポール１１あるいはネット状物１２のいずれか一方もしくは両方には、該ネット状物１２を張るためのネット取付機構１３が備えられており、一対のアジャストポール１１が、少なくとも一以上の連結ポールによって連結されている構造となっている。【選択図】図１
0003157025.tif 000002
【実用新案登録請求の範囲】
【請求項１】
屋内外で緑化並びに目隠し、遮光、電飾、間仕切り等に用いられるネット状パネル装置であって、
垂直に立設する一対のアジャストポールと、該アジャストポール間に張られるネット状物と、から構成され、
アジャストポールは、その上端部または下端部あるいは中間所定位置のうち少なくとも一箇所において長さ調整機構が設けられており、
アジャストポールあるいはネット状物のいずれか一方もしくは両方には、該ネット状物を張るためのネット取付機構が備えられており、
一対のアジャストポールが、少なくとも一以上の連結ポールによって連結されている、
ことを特徴とするネット状パネル装置。
【請求項２】
前記ネット状パネル装置において、前記連結ポールが、その中間所定位置において長さ調整機構を備えていることを特徴とする請求項１に記載のネット状パネル装置。
【請求項３】
前記ネット状パネル装置において、アジャストポールあるいは連結ポールのいずれか一方もしくは両方に、連結ポールをアジャストポールに連結して固定するための連結機構が備えられていることを特徴とする請求項１または請求項２に記載のネット状パネル装置。
【請求項４】
前記ネット状パネル装置において、前記連結ポールが、前記連結機構を介してアジャストポールの任意の位置に固定可能であることを特徴とする請求項１から請求項３のいずれかに記載のネット状パネル装置。
【請求項５】
前記ネット状パネル装置において、前記ネット状物の上端辺より上方所定箇所に、散水機能を備えた散水装置が備えられていることを特徴とする請求項１から請求項４のいずれかに記載のネット状パネル装置。
【請求項６】
前記ネット状パネル装置において、前記連結ポールが、散水機能を備えた散水装置として構成されていることを特徴とする請求項１から請求項４のいずれかに記載のネット状パネル装置。
【請求項７】
前記ネット状パネル装置において、前記連結ポールが、ネット状物を巻き取るための巻き取り機能を備えた巻き取り装置として構成されていることを特徴とする請求項１から請求項６のいずれかに記載のネット状パネル装置。
【請求項８】
前記ネット状パネル装置において、前記連結ポールが、植栽用のプランター構造を採用することでプランター装置として構成されていることを特徴とする請求項１から請求項７のいずれかに記載のネット状パネル装置。
【考案の詳細な説明】
【技術分野】
【０００１】
本考案は、窓面緑化装置に関し、詳しくは、アパートやマンションなどの窓面緑化ならびに目隠し、遮光、電飾、その他室内の間仕切り等に用いられるネット状パネル装置に関するものである。
【背景技術】
【０００２】
従来の都市部のコンクリート建造物におけるマンションや高層ビルのヒートアイランド現象を防止する方法としては、例えば、屋上に緑化施設を設けたり、模造植草ネットと散水装置を組み合わせて蒸散作用を発生させる「ヒートアイランド現象防止用模造植草ネット」(特許文献1参照)や、建築壁面タイルやコンクリート壁面にコケや蔓性植物の種子を植付ける工法「植栽用タイル」(特許文献２参照)や、植栽プランター台に金網やネットを立て掛けて蔓性植物を栽培する緑化プランター「建築窓用の伸縮式蔓性植物支持装置」(特許文献３参照)が公知になっている。
【０００３】
前記「ヒートアイランド現象防止用模造植草ネット」(特許文献1参照)の公知技術においては、装置自体が大掛かりである上、マンションや高層ビルの屋上に設置される構造から、マンションや高層ビルの立地周辺地域を対象としたヒートアイランド現象を防止する提案であって、アパートやマンションなどの個人所有の窓面やベランダ壁面の緑化、目隠し、遮光、室内の間仕切り等を目的とする提案ではなかった。
【０００４】
また、前記「植栽用タイル」(特許文献２参照)の公知技術においては、多孔質のセラミックスタイル表面に直接植物を植栽したタイルの提案であるが、基本的に建物の外壁に使用されるもので、アパートやマンションなどの窓面やベランダ壁面の緑化、目隠し、遮光、室内の間仕切り等を目的とする提案ではなかった。
【０００５】
また、前記「建築窓用の伸縮式蔓性植物支持装置」(特許文献３参照)の公知技術においては、個人所有のアパートやマンションなどの窓面やベランダ壁面に設置できるものではあるが、その上端部を壁面等にもたれ掛けた状態で設置する必要があるとともに、設置する窓面やベランダの寸法に合わせて幅調節できるものではなく、室内の間仕切り等には不適で、目隠し効果や遮光効果に問題が残るものであった。
【０００６】
【特許文献１】実用新案登録第３１４０３５６号公報
【特許文献２】特許公開２００７−９７５３７号公報
【特許文献３】実用新案登録第３１４９８５７号公報
【考案の概要】
【考案が解決しようとする課題】
【０００７】
本考案は、上記問題点に鑑みてなされたものであって、アパートやマンションなどの窓面緑化並びに目隠し、遮光、電飾、室内の間仕切り等に用いられ、軽量かつ廉価であって、着脱が自在であるネット状パネル装置の提供を図ることを課題とするものである。
【課題を解決するための手段】
【０００８】
上記課題を解決するため、本考案は、垂直に立設する一対のアジャストポールと、該アジャストポール間に張られるネット状物と、から構成され、アジャストポールは、その上端部または下端部あるいは中間所定位置のうち少なくとも一箇所において長さ調整機構が設けられており、また、アジャストポールあるいはネット状物のいずれか一方もしくは両方に、該ネット状物を張るためのネット取付機構が備えられており、さらには、一対のアジャストポールが少なくとも一以上の連結ポールによって連結されている構成となっている。
【０００９】
また、本考案は、前記連結ポールが、その中間所定位置において長さ調整機構を備えている構成を採用し得る。
【００１０】
さらに、本考案は、アジャストポールあるいは連結ポールのいずれか一方もしくは両方に、連結ポールをアジャストポールに連結して固定するための連結機構が備えられている構成とすることができる。
【００１１】
またさらに、本考案は、前記連結ポールが、前記連結機構を介してアジャストポールの任意の位置に固定可能である構成とすることが考えられる。
【００１２】
さらにまた、本考案は、前記窓面緑化装置において、前記ネット状物の上端辺より上方所定箇所に、散水機能を備えた散水装置が備えられている構成とすることが考え得る。
【００１３】
そしてまた、本考案は、前記連結ポールについて、散水機能を備えた散水装置としての構成を備えさせることができる。
【００１４】
そしてさらに、本考案は、前記連結ポールについて、ネット状物を巻き取るための巻き取り機能を備えた巻き取り装置としての構成とすることも可能である。
【００１５】
さらにまた、本考案は、前記連結ポールについて、植栽用のプランター構造を採用することでプランター装置としての構成とすることも考え得る。
【考案の効果】
【００１６】
本考案にかかるネット状パネル装置によれば、自然植物栽培仕様とすることによって、ヘデラや朝顔などの季節毎の蔓性植物のガーデニングや、プチトマトやさやえんどう、きゅうりなどのベランダを利用した家庭菜園を行うことができ、また、ガーランドリーフ仕様することによって、季節に関係なく自分好みのガーランドリーフで窓面を飾ることによって、窓辺の室外装飾を楽しむことが可能である。
【００１７】
さらに、本考案にかかるネット状パネル装置によれば、蔓性植物やガーランドリーフをネット状物にはわせることにより、癒し的目隠し効果が得られるもので、室内のプライバシー確保手段等にも有効であると同時に、日除けなどの遮光効果も得られるもので、自然植物やガーランドリーフを利用した優れたブラインド効果を得ることができる。
【００１８】
またさらに、本考案にかかるネット状パネル装置によれば、散水機能による散水仕様によって、植物の水やり作業と蒸散作用により、室内の冷却効果が得られるため、クーラー等の冷暖房光熱費の節約にも効果を奏する。
【００１９】
さらにまた、本考案にかかるネット状パネル装置によれば、ＬＥＤ電球をネット状物にはわせる仕様とすることにより、花火仕様やクリスマス仕様のＬＥＤ電球による電飾イルミネーションを、個人的に楽しむことができるものである。また、商業用としては、販促商品の携帯移動用の電飾広告看板として利用することも可能である。
【００２０】
総じて、本考案にかかるネット状パネル装置によれば、軽量で取り付け取り外しが簡単な構造であり、ヒートアイランド効果はもとより室内外の装飾が自由にできるものであって、都会における個性豊かな町並みの景観向上が図られるとともに、室内装飾・レイアウトが自在となるものである。
【図面の簡単な説明】
【００２１】
【図１】本考案にかかるネット状パネル装置の実施例を示す全体斜視図である（実施例１）。
【図２】図２は、本考案にかかる巻取り装置の構成を示す説明図である（実施例３）。
【図３】図３は、本考案にかかる散水装置の構成を示す説明図である（実施例４）。
【図４】図４は、本考案にかかるプランター装置の構成を示す説明図である（実施例５）。
【図５】図５は、本考案にかかる巻取り装置の作動状態を示す説明図である。
【図６】図６は、本考案にかかるネット状パネル装置の実施態様を示す説明図である（実施例６）。
【考案を実施するための形態】
【００２２】
以下、本考案にかかるネット状パネル装置１０の実施形態を、図面に基づいて説明する。
【実施例１】
【００２３】
図１は、本考案にかかるネット状パネル装置１０の実施例を示す全体斜視図である。
該ネット状パネル装置１０は、垂直に立設する一対のアジャストポール１１と、該アジャストポール１１間に張られるネット状物１２と、から構成されている。
【００２４】
アジャストポール１１は、その上端部または下端部あるいは中間所定位置のうち少なくとも一箇所において、該アジャストポール１１の長さを調整することが可能な長さ調整機構が設けられている。
かかる長さ調整機構の構造については、特に限定はないが、例えばアジャストポール１１の上端部や下端部にある突き当てパッド１９等が、ネジ式あるいはバネ式の伸縮機能を有する構造であったり、あるいは、アジャストポール１１について大径ポールと小径ポールがスライドするように構成されていて、該アジャストポール１１の中間所定位置においてスライド固定して伸縮させる構造などが考え得る。
【００２５】
ネット状物１２は、上記一対のアジャストポール１１間を覆うように張られるものであって、自然植物ＦやガーランドリーフＧが配置されたり、また、電飾が施されたりするものである。
該ネット状物１２の材質については、特に限定するものではなく、例えば金属製や合成樹脂製が考えられ、また、ネット状物１２自体が硬質であると軟質であるとを問うものでもない。
なお、該ネット状物１２の全体幅は、少なくとも一対のアジャストポール１１間を覆えるだけの幅を有しており、また、ネット状物１２を構成する一つ一つのネット目の大きさ・形状については、特に限定はないが、例えば一辺が２０〜１００ｍｍ程度の略正方形状となっている。
【００２６】
ネット状物１２をアジャストポール１１間に張るための取付手段については、該アジャストポール１１あるいはネット状物１２のいずれか一方もしくは両方にネット取付機構１３が備えられており、それによりネット状物１２がアジャストポール１１間に張られることとなる。かかるネット取付機構１３の具体的構造については、該ネット状物１２をアジャストポール１１間に固定的に張ることが可能であれば、特に限定するものではない。なお、図面では、ネット状物１２の側辺等に輪状のネット取付機構１３が備えられており、その輪状のネット取付機構１３がアジャストポール１１及び連結ポールに接続されている場合について示している。
【００２７】
連結ポールは、垂直に立設された一対のアジャストポール１１を連結するものであって、少なくとも一以上の連結ポールによって一対のアジャストポール１１は連結されている。なお、該連結ポールについて、その中間所定位置において長さ調整機構を備えている構造を採用することが好ましい。かかる長さ調整機構の具体的構造については、特に限定はないが、例えば連結ポールについて大径ポールと小径ポールがスライドするように構成されていて、該連結ポールの中間所定位置においてスライド固定して伸縮させる構造などが考え得る。
【００２８】
ところで、かかる連結ポールのアジャストポール１１への連結手段について、
アジャストポール１１あるいは連結ポールのいずれか一方もしくは両方に、連結機構１７が備えられており、該連結機構１７によって、連結ポールはアジャストポール１１に連結・固定される。かかる連結機構１７の具体的構造については、連結ポールがアジャストポール１１に連結・固定可能であれば、特に限定するものではない。なお、図面では、連結ポールにリング状フランジ構造の連結機構１７が備えられており、その輪状のリング状フランジ構造の連結機構１７を介してアジャストポール１１に連結・固定されている場合について示している。
【実施例２】
【００２９】
上記の通り構成される本考案にかかるネット状パネル装置１０について、図示はされていないが、前記ネット状物１２の上端辺より上方所定箇所に、散水機能を備えた散水装置２０が備えられている構成とすることが可能である。かかる散水装置２０の具体的構造については、特に限定するものではなく、給水ホース２４を介して散水ノズル２３から下方のネット状物１２に向けて散水可能な構造であればよい。なお、給水を自動的に制御するための制御ボックス１４が必要に応じて所定箇所に設けられ、その設定に従って自動的に散水が行われるように構成することも可能である。
【００３０】
散水装置を備える構造を採用することにより、ネット状物１２に自然植物Ｆを配置する場合の該植物への補水が可能であり、また、ネット状物１２に配置するものがガーランドリーフＧであっても、そこへ散水することで、装飾効果や蒸散作用による冷却効果を奏することが可能となる。
【実施例３】
【００３１】
前記連結ポールについては、単なる棒状体で構成されている場合も考えられるが、種々の機能を該連結ポールに備えさせることが望ましい。
例えば、図２に示すように、該連結ポールに巻き取り装置３０としての機能を備えさせることが考え得る。すなわち、連結ポールに回転機能３５を備えさせ、その回転によりネット状物１２を巻き取り可能とした構造である。これにより、ネット状物１２の巻き取り具合で、マンションなどの窓面の目隠し具合や日除け具合を調節できることとなり、また、プライバシー確保や遮光効果を自由に調節できることとなる。
【００３２】
かかる巻き取り装置３０の具体的構造としては、例えば、上端部の突き当てパット１９を外した状態の一対のアジャストポール１１夫々に対し、その上方からリング状フランジ構造の連結機構１７を係止突起１６に当接するまでスライドさせて嵌め込み、その上から再度突き当てパット１９が取り付けられる。そして、連結機構１７を介して伸縮パイプ３１が回転機能３５を備えつつ横架され、少なくとも一方のアジャストポール１１に設けられた貫通孔３４及び連結機構１７に設けられたハンドル孔３６に、伸縮パイプ３１を回転させるための巻き取りレバー３２が指し込まれた構造となっている。なお、ネット状物１２は、その上端辺が伸縮パイプ３１に備えられた取り付けフック３３に引っ掛け固定されている。
【００３３】
前記巻取り装置３０の作動状態は、図５に示した通りとなる。すなわち、図５は本考案にかかる巻取り装置３０の作動状態を示しており、図５（ａ）はネット状物１２の下端辺を最大限に下降した状態、図５（ｂ）はネット状物１２の下端辺を中間位置にセットした状態、を示す説明図である。
巻き取りレバー３２の回転に連動して伸縮パイプ３１が回転されることとなり、それによりネット状物１２は、該伸縮パイプ３１に巻架され、ネット状物１２の下端辺の位置を適宜調整することが可能となる。
【実施例４】
【００３４】
また、前記連結ポールについて、図３に示すように、散水装置２０としての機能を備えさせることが考え得る。すなわち、連結ポールに散水機能を備えさせ、ネット状物１２への散水を可能とした構造である。これにより、ネット状物１２へ散水ノズル２３からの散水が行われることで、ネット状物１２に配置された自然植物Ｆへの補水が可能であり、また、装飾効果や蒸散作用による冷却効果を奏することが可能となる。
【００３５】
かかる散水装置２０の具体的構造については、例えば、上端部の突き当てパット１９を外した状態の一対のアジャストポール１１夫々に対し、その上方からリング状フランジ構造の連結機構１７を係止突起１６や上述した巻き取り装置３０における連結機構１７の上端部に当接するまでスライドさせて嵌め込み、その上から再度突き当てパット１９が取り付けられる。伸縮パイプ２２の中間所定位置には散水ノズル２３が備えられ、連結機構１７を介して該伸縮パイプ２２が横架される。そして、一端が水道蛇口等に接続されている給水ホース２４が、アジャストポール１１及び伸縮パイプ２２の内側を通り、散水ノズル２３に接続された構造となっている。このとき、図１並びに図６に示すように、給水を自動的に制御するための制御ボックス１４が必要に応じて所定箇所に設けられ、その設定に従って自動的に散水が行われるように構成することも可能である。
【実施例５】
【００３６】
また、前記連結ポールについて、図４に示すように、プランター装置４０としての機能を備えさせることが考え得る。すなわち、連結ポールにプランター機能を備えさせ、ネット状物１２へ自然植物Ｆを配置すべく植栽を可能とした構造である。これにより、蔓性植物のガーデニングや、ベランダを利用した家庭菜園を行うことが可能となる。
なお、図４は、本考案にかかるプランター装置４０の構成を示しており、図４（ａ）は連結機構の実施例、図４（ｂ）は伸縮パイプを備えた実施形態、を示す説明図である。
【００３７】
かかるプランター装置４０の具体的構造としては、例えば、下端部の突き当てパット１９を外した状態の一対のアジャストポール１１夫々に対し、その下方からリング状フランジ構造の連結機構１７をスライドさせて嵌め込み、アジャストポール１１の任意の高さ位置において係止具４５により固定し、再度突き当てパット１９が取り付けられる。そして、プランター４１は、図４（ａ）に示すように、全体幅が調整可能な連結式となっており、したがって該プランター４１の両側面には、連結機構４３が備えられている。なお、アジャストポール１１に隣接するプランター４１については、その隣接面が前記リング状フランジ構造の連結機構１７と一体となっている構成も可能である。また、前記プランター４１同士を連結するのではなく、図４（ｂ）に示すように、中間に伸縮パイプ４２によるスペースを備える態様も可能である。
【００３８】
また、一部のプランター４１には、カバー蓋４４を設けることも考えられ、植栽用具等の小物入れとしての使用態様も可能である。
さらに、図面では、プランター４１を連結式とした場合について示しているが、マンション販売と同時にエクステリア品として備える場合等、全体幅の調整が不要である場合には、連結ポール全体を一体型のプランター４１とすることも可能である。
【実施例６】
【００３９】
図６は、本考案にかかるネット状パネル装置１０の実施態様を示しており、図６（ａ）はネット状物１２に自然植物Ｆを配置した状態、図６（ｂ）はネット状物１２にガーランドリーフＧを配置した状態、図６（ｃ）はネット状物１２に電飾装置５０を配置した状態、図６（ｄ）はこれらを組み合わせた状態、を示す説明図である。
【００４０】
本考案にかかる実施態様として、図６（ａ）に示すはネット状物１２に自然植物Ｆを配置した状態を採用することで、季節に合わせたガーデニングを楽しむことができる。
また、本考案にかかる実施態様として、図６（ｂ）に示すネット状物１２にガーランドリーフＧを配置した状態を採用することで、季節を問わない建物外壁装飾やプライバシー保護、日除け対策を施すことができる。
【００４１】
さらに、本考案にかかる実施態様として、図６（ｃ）に示すネット状物１２に電飾装置５０を配置した状態を採用することで、該電飾装置５０による花火やクリスマスのイルミネーション電飾を楽しむことができる。
なお、電飾装置５０は、数本の電線コードの先端にＬＥＤ電球が配されているとともに、他端が電源コンセントに接続され、その中間には点滅サイクルや点灯時間などを自動制御する制御ボックス１４が必要に応じて設けられている。
【００４２】
そしてまた、本考案にかかる実施態様として、上記各実施態様を適宜組み合わせた図６（ｄ）に示す状態を採用することで、時折々の家族行事のイベント等に合わせて、種々態様を組み合わせて楽しむことができる。
【００４３】
以上、ネット状パネル装置１０の実施形態について種々説明したが、本考案にかかるネット状パネル装置１０は、上述した実施例や図示した構造に限定されるものではなく、本考案の趣旨・構成に逸脱しない範囲で適宜変更することができるものである。
例えば、上記実施例や図面には記載されていないが、ネット状物１２が、連結ポールを介して左右両開き、あるいは、左右一方に片開き可能な、カーテン風な構造を採用することも考えられる。
また同様、上記実施例や図面には記載されていないが、本考案にかかるネット状パネル装置１０とは別体のプランターを、ネット状物１２の下方に配置して、該プランターでの植栽による自然植物Ｆを、該ネット状物１２に配置させる構成を採用することも考え得る。
【産業上の利用可能性】
【００４４】
本考案は、地球温暖化による二酸化炭素削減並びにヒートアイランド防止対策として有効であるとともに、クーラーなどの冷暖房装置による電気光熱費節減の手段としてや、マンション販売の付加価値手段として、さらには、癒し空間の提供並びに目隠しや遮光手段として、手軽に幅広い分野で利用できるものであって、本考案の産業上の利用可能性は極めて高いものと解する。
【符号の説明】
【００４５】
１０    ネット状パネル装置
１１    アジャストポール
１２    ネット状物
１３    ネット取付機構
１４    制御ボックス
１６    係止突起
１７    連結機構
１９    突き当てパット
２０    散水装置
２２    伸縮パイプ
２３    散水ノズル
２４    給水ホース
３０    巻き取り装置
３１    伸縮パイプ
３２    巻き取りレバー
３３    取り付けフック
３４    貫通孔
３５    回転機能
３６    ハンドル孔
４０    プランター装置
４１    プランター
４２    伸縮パイプ
４３    連結機構
４４    カバー蓋
４５    係止具
５０    電飾装置
Ｆ    自然植物
Ｇ    ガーランドリーフ
【図１】
0003157025.tif 000003
【図２】
0003157025.tif 000004
【図３】
0003157025.tif 000005
【図４】
0003157025.tif 000006
【図５】
0003157025.tif 000007
【図６】
0003157025.tif 000008